(57)【要約】【課題】連動支柱の開口部への取り付けが迅速に行ない得る折りたたみ回転扉を提供する。【解決手段】壁体の開口部３内に設けられる扉本体４が上端の長手方向中間部に支点部材１３を備え、支点部材を移動可能に支持する上レール１２が開口部の上端下面に配設され、上下端に上アーム９及び下アーム１０を備える連動支柱１１が開口部の一側端近傍位置を支点として揺動するようにその上下を枢着部材３０，４０で枢着され、上方の枢着部材３０が嵌入する凹部９ａが連動支柱または上アームの上端面に形成され、上端面には上方の枢着部材を凹部まで導くガイド溝９’が形成され、連動支柱の上アーム及び下アームは先端部が扉本体の上端部及び下端部にそれぞれ枢着されたことを特徴とする。【選択図】　　　図４
2004060321.tif 000002
【特許請求の範囲】
【請求項１】
壁体の開口部内に設けられる扉本体が上端の長手方向中間部に支点部材を備え、該支点部材を移動可能に支持する上レールが前記開口部の上端下面に配設され、上下端に上アーム及び下アームを備える連動支柱が前記開口部の一側端近傍位置を支点として揺動するようにその上下を枢着部材で枢着され、該上方の枢着部材が嵌入する凹部が前記連動支柱または前記上アームの上端面に形成され、該上端面には該上方の枢着部材を凹部まで導くガイド溝が形成され、前記連動支柱の上アーム及び下アームは先端部が前記扉本体の上端部及び下端部にそれぞれ枢着されたことを特徴とする折りたたみ回転扉。
【発明の詳細な説明】
【０００１】
【発明が属する技術分野】
本発明は、扉を開閉する際に要するスペースを小さくすることができる折りたたみ回転扉に関する。
【０００２】
【従来の技術】
折りたたみ回転扉は従来から一般に知られており、本願出願人は、例えば特開平２００１−２８８９５２号公報で、折りたたみ回転扉に関する発明を開示した。この公報に記載した折りたたみ回転扉７０は、図７及び図８に示したように、扉本体７４が折りたたみ回転機構７５を介して、開口部７３内に折りたたみ回転可能に取付けられたものである。開口部７３は、上枠７６と両側の縦枠７７ａ，７７ｂと床７８とを備える。また折りたたみ回転機構７５は、上下端に上アーム７９及び下アーム８０を有する連動支柱８１が扉本体７４に連動するように設けられ、開口部７３の上枠７６下面に上レール８２が配設され、上レール８２に係合する支点部材８３が扉本体７４上端の長手方向中間部に設けられている。
【０００３】
連動支柱８１は、蝶番８４を介して開口部７３の一方の縦枠７７ｂに回動可能に取付けられている。また連動支柱８１の各アーム７９，８０の先端部は、上枢着部材８５及び下枢着部材８６をそれぞれ介し扉本体７４の上端部及び下端部に枢着されている。したがって、扉本体７４の開閉に伴なって、支点部材８３は上レール８２に沿って移動するとともに、扉本体７４は両枢着部材８５，８６を支点として回動し、この両枢着部材８５，８６からの力を受けて両アーム７９，８０も水平方向に揺動し、これにより連動支柱８１は扉本体７４に連動して回動する。
【０００４】
ここで、連動支柱８１は上記蝶番ヒンジ８４の他に、その上下端をヒンジピンにより上枠、上レールや床に枢着することも可能である。例えば、図９に示したものは、連動支柱８１の上端部に設けられたヒンジ構造体３０の一例であり、これは、ヒンジピン保持部材３５により上下に摺動可能に保持されたヒンジピン３４が、バネ３６により下方に付勢されたものであり、ヒンジピン３４の下端にはフランジ３４ａが形成され、このフランジ３４ａよりも下方に下端部３４ｂを備えている。一方、図９に示したように、上アーム７９の上端面７９ｂは平らに形成されており、この平坦な上端面７９ｂに凹部７９ａが形成されており、この凹部７９ａはヒンジピン９４の下端部９４ｂが嵌合するものである。
【０００５】
【発明が解決しようとする課題】
図１０（ａ）（ｂ）は、連動支柱８１を開口部７３に取り付ける工程を正面方向および側面方向から見た図である。前記連動支柱８１を開口部７３に取り付ける際には、凹部７９ａを目視しながら作業を行なうことは困難であるため、図１０（ａ）（ｂ）に示したように、上アーム７９の上端面７９ｂをヒンジピン９４の下端部９４ｂに当接させて、作業を行なう者の感覚を頼りに、連動支柱８１を図１０（ａ）の矢印Ｐ方向に動かしたり、また図１０（ｂ）の矢印Ｑ方向に動かすことにより、ヒンジピン９４の下端部９４ｂを凹部７９ａに嵌合させている。以上のような連動支柱８１の取付け作業は、作業員の感覚を頼りに行なうため、作業が手間取るという問題がある。
【０００６】
本発明は上記のような問題点を解決するためになされたものであり、その課題は、連動支柱の開口部への取り付けを迅速に行ない得る折りたたみ回転扉を提供することにある。
【０００７】
【課題を解決するための手段】
本発明によれば、壁体の開口部内に設けられる扉本体が上端の長手方向中間部に支点部材を備え、該支点部材を移動可能に支持する上レールが前記開口部の上端下面に配設され、上下端に上アーム及び下アームを備える連動支柱が前記開口部の一側端近傍位置を支点として揺動するようにその上下を枢着部材で枢着され、該上方の枢着部材が嵌入する凹部が前記連動支柱または前記上アームの上端面に形成され、該上端面には該上方の枢着部材を凹部まで導くガイド溝が形成され、前記連動支柱の上アーム及び下アームは先端部が前記扉本体の上端部及び下端部にそれぞれ枢着されたことを特徴とする折りたたみ回転扉が提供される。
【０００８】
本発明において、連動支柱の上方を連動支柱に枢着する前記枢着部材は、連動支柱または上アームの上端面に向けて付勢された状態で上下動可能に保持された軸部材、例えば、ヒンジピンを備えたものが用いられる。
【０００９】
従来、連動支柱を開口部に取り付ける際には、上方の枢着部材のヒンジピン下端部を上アーム上端または連動支柱上端の平坦な面に押付けてスライドさせながら、作業を行なう者の感覚を頼りに、上方の枢着部材のヒンジピン下端部と凹部とを嵌合させていたので、作業が手間取るという欠点があったが、本発明の折りたたみ回転扉では、上方の枢着部材のヒンジピン下端部が嵌入する凹部が連動支柱または上アームの上端面に形成され、この上端面には枢着部材のヒンジピン下端部を凹部まで導くガイド溝が形成されているので、このガイド溝を目視しながら、ガイド溝を上方の枢着部材のヒンジピン下端部に当接させて連動支柱を適宜動かせば、枢着部材は簡単かつ確実に凹部まで導かれる。したがって、本発明の折りたたみ回転扉を用いれば、連動支柱の開口部への取付け作業を迅速に行なうことができる。
【００１０】
本発明において、連動支柱を下方で枢着する前記枢着部材は、床上面と連動支柱下面とに、それぞれ相互に嵌合可能な凹部と凸部とを対向位置に設けることにより形成することができる。なお、凸部を床上面と連動支柱下面のいずれに設け、凹部を床上面と連動支柱下面のいずれに設けるかは適宜定めることができる。
【００１１】
【発明の実施の形態】
以下、添付図面を参照して本発明の好適な実施形態を説明する。
図１は本発明の実施の形態を示す折りたたみ回転扉の全体構成図であり、図２は折りたたみ回転扉の開閉時の動きを示した簡略平面図である。
折りたたみ回転扉１は、開口部３内において、扉本体４が折りたたみ回転機構５を介して折りたたみ回転可能に取付けられたものである。開口部３は、上枠６と両側の縦枠７ａ，７ｂと床８とから構成されている。また折りたたみ回転機構５は、上アーム９及び下アーム１０をそれぞれ上下端に有する連動支柱１１と、開口部３の上枠６下面に配設された上レール１２と、扉本体４上端の長手方向中間部に設けられて上レール１２に係合され扉本体４の折りたたみ回転に伴ない上レール１２に沿って移動する支点部材１３とを備え、上アーム９及び下アーム１０は扉本体４の上下端にそれぞれ枢着され、連動支柱１１が扉本体４に連動するように設けられている。
【００１２】
図１に示すように、上アーム９及び下アーム１０を上下端に備える連動支柱１１は、その上端がヒンジ構造体３０を介して開口部３の上レール１２に取付けられ、下端がヒンジ部材４０を介して床８に取付けられており、この連動支柱１１の回動により、両アーム９，１０が水平方向に揺動するようになっている。なお、ヒンジ部材４０に関しては詳細に図示しないが、このヒンジ部材４０は凸形状の部材が床８上に固定され、この凸形状の部材に嵌合する凹形状の部材が連動支柱１１下端の対向位置に設けられ、これら凸形状の部材と凹形状の部材とが嵌合するように設けられている。
これら各アーム９，１０の先端部は、上枢着部材１５および下枢着部材１６をそれぞれ介し扉本体４の上端部および下端部に枢着されており、扉本体４は、折りたたみ回転する際にこれら上下枢着部材１５，１６の位置を支点として回転するようになっている。
【００１３】
図２は扉本体４の開閉時の動きを示した簡略平面図であり、図２では、扉本体４が閉鎖している時の位置に連動支柱１１を簡略に図示し、上アーム９及び下アーム１０は図示を省略した。扉本体４が開閉する際には、連動支柱１１がヒンジ構造体３０及びヒンジピン４０を中心に回動し、上アーム９及び下アーム１０も連動支柱１１と伴に揺動する。このとき、上下枢着部材１５，１６は図示したような軌跡Ｂを描きながら揺動し、支点部材１３は上レール１２に沿って図示のごとく真直ぐに移動し、扉本体４は図示のような軌跡Ａを描きながら開閉する。
【００１４】
連動支柱１１は上下端に上アーム９及び下アーム１０を備えている。連動支柱１９ａの上端、すなわち上アーム９の上端面には、図３乃至図５に示したように凹部９ａとガイド溝９’とが設けられている。このガイド溝９’は、上アーム９の材軸と直交する方向に上アーム９の上端面を切り欠いて形成されたものであり、傾斜した側面９ｂと、ほぼ垂直に形成された側面９ｃと、底面９ｄとからなり、底面９ｄのほぼ中央に凹部９ａが形成されている。この凹部９ａは、ヒンジ構造体３０のヒンジピン下端部３４ｂが嵌挿可能なように形成されたものである。なお、図１、図３、図４及び図６において、上アーム９及び下アーム１０の取り付け位置は、連動支柱１１の上下端面になっているが、これ以外に、連動支柱１１の上下の側面とすることが可能である。この場合、凹部９ａとガイド溝９’は、上アーム９の上面ではなく、連動支柱１１の上端面に設けられる。
【００１５】
ヒンジ構造体３０は、図３及び図４に示したように上レール１２内に設けられ、この上レール１２は、上枠６に固定される取付け部１２ａの下端側に一対のレール部１２ｂを有するものである。ヒンジ構造体３０は、上アーム９の上端面の凹部９ａに嵌挿されるヒンジピン３４と、このヒンジピン３４を上方から下方へ付勢するバネ３６と、ヒンジピン保持部材３５とを備える。
ヒンジピン３４は、凹部９ａへ嵌挿するための下端部３４ｂと、この下端部３４ｂの上方に形成されたフランジ３４ａとを備える。またヒンジピン保持部材３１には貫通孔３５ａ，３５ｂが形成されている。貫通孔３５ｂの内径は貫通孔３５ａよりも若干大きく、この貫通孔３５ａよりも外径が大きなバネ３６を貫通孔３５ｂに収容し、バネ３６から貫通孔３５ａへヒンジピン３４を貫装し、ヒンジピン３４の上端に皿ワッシャー３３とネジ３２を取り付けると、ヒンジピン３４はヒンジピン保持部材３１により上下方向に摺動可能に保持される。また貫通孔３５ｂに収容されたバネ３６は、その下端がフランジ３３ｂに当接してヒンジピン３３を下方に付勢する。
【００１６】
次に、連動支柱１１を開口部３に取り付ける方法について説明する。
連動支柱１１を開口部３に取り付ける際には、ヒンジ構造体３０のヒンジピン下端部３４ｂの位置を目視により確認し、図６（ａ）（ｂ）に示したように、ヒンジピン下端部３４ｂにガイド溝９’の底面９ｄを当接させる。そして、図６（ａ）の矢印Ｍ方向に連動支柱１１を動かすと、ヒンジピン下端部３４ｂは両側面９ｂ，９ｃに接触しながら凹部９ａまで導かれて、凹部９ａに嵌入させることができる。
逆に、連動支柱１１を開口部３から取り外す際には、隙間からマイナスドライバー等の工具を挿し入れ、工具の先端をフランジ３４ａに係止させて、バネ３６の力に逆らってヒンジピン３４を上方に押し上げ、連動支柱１１の下端におけるヒンジピン４０の係合を解除すれば、上アーム９の凹部９ａもヒンジピン下端部３４ｂから外すことができて、連動支柱１１は開口部３から取り外される。
【００１７】
なお、前記支点部材１３および前記上下枢着部材１５，１６は慣用のものが使用される。
詳細に図示はしないが、支点部材１３は一対のレール部１２ｂに案内されて上レール１２内を移動することができるものであれば良く、例えば、各レール部１２ｂ内を転動する２個ずつ、合計４個のローラを回転自在に支持する支持部材と、この支持部材の中心位置から垂下する支点軸と、この支点軸の下端部に固定される取付け板とを備えており、取付け板は扉本体４の上端面にビス止めされている。ここで、支点軸の上端は支持部材に回動可能に接続され、取付け板には下面にあらかじめナットが溶接で固定され、このナットに支点軸の下端を螺合した後に、取付け板の上側に螺合した別のナットで締め込んで固定される。
また上枢着部材１５や下枢着部材１６も、詳細に図示はしないが、例えば、上枢着部材１５は、上アーム９の先端部に貫通孔が設けられ、扉本体４の上端面に貫通孔を有する取付け板が固定され、この取付け板と上アーム９の貫通孔は対向位置に配置され、これらの貫通孔に軸部材が挿通され、軸部材の下端に取付け板の上下面でナットが螺合されて回動不可能に固定され、軸部材の上端は上アーム９の貫通孔で回動可能になるように挿通されている。
一方、下枢着部材１６は、下アーム１０の先端上側に凸部が設けられ、この凸部と相補な形状の孔が扉本体４の下端面の対向位置に設けられ、凸部と孔が回動可能に嵌合されている。
【００１８】
【発明の効果】
本発明の折りたたみ回転扉では、凹部が連動支柱または上アームの上端面に設けられ、この上端面には上方の枢着部材のヒンジピン下端部を凹部まで導くガイド溝が形成されているので、連動支柱を開口部に取り付ける際に、ヒンジピン下端部を簡単かつ確実に凹部に嵌入させることできる。したがって、本発明の折りたたみ回転扉を用いれば、開口部への取付け作業の迅速化が図れる。
【図面の簡単な説明】
【図１】本発明の折りたたみ回転扉の実施の形態を示す全体構成図である。
【図２】本発明の折りたたみ回転扉の開閉時の動きを示す簡略平面図である。
【図３】本発明におけるヒンジ構造体と連動支柱との枢着状態を示す断面図である。
【図４】本発明における枢着前の状態のヒンジ構造体と連動支柱とを示す断面図である。
【図５】本発明における連動支柱の上アームの上端面を示す図である。
【図６】（ａ）（ｂ）は本発明の折りたたみ回転扉において、連動支柱を開口部に取り付ける工程を正面方向および側面方向から見た図である。
【図７】従来の折りたたみ回転扉の全体構成図である。
【図８】従来の折りたたみ回転扉の拡大水平断面図である。
【図９】従来の折りたたみ回転扉における連動支柱上端とヒンジ構造体を示す断面図である。
【図１０】（ａ）（ｂ）は従来の折りたたみ回転扉において、連動支柱を開口部に取り付ける工程を正面方向および側面方向から見た図である。
【符号の説明】
１　折りたたみ回転扉
３　開口部
４　扉本体
９　上アーム
９’　ガイド溝
９ａ　凹部
１０　下アーム
１１　連動支柱
１２　上レール
１３　支点部材
１５　上枢着部材
１６　下枢着部材
３０　ヒンジ構造体
３３　ヒンジピン
【図１】
2004060321.tif 000003
【図２】
2004060321.tif 000004
【図３】
2004060321.tif 000005
【図４】
2004060321.tif 000006
【図５】
2004060321.tif 000007
【図６】
2004060321.tif 000008
【図７】
2004060321.tif 000009
【図８】
2004060321.tif 000010
【図９】
2004060321.tif 000011
【図１０】
2004060321.tif 000012